(57)【要約】【課題】荷積みプラットフォームの開作動初期段階において荷積みプラットフォームが勢いよく倒れ込まないようにする。【解決手段】荷積みプラットフォーム１基部両端を軸着する支持軸１１にリンク部材２３を回動可能に連結する。流体圧シリンダ１９の一端を荷積みプラットフォーム１の側部に、他端をリンク部材２３の基端にそれぞれ軸着する。昇降フレーム５の支持軸１１近傍（ブラケット７）にストッパ部材３１及びロック部材３７を設ける。荷積みプラットフォーム１が流体圧シリンダ１９の収縮作動により不使用時の垂直姿勢から傾斜姿勢に開作動してリンク部材２３の先端がストッパ部材３１に当接する力が発生するまでの間、リンク部材２３の先端をストッパ部材３１に当接させた状態でロック部材３７の掛止部３７ａをリンク部材２３の被掛止部２１に掛止させてリンク部材２３の動きを規制する。【選択図】図１
2007269157.tif 000002
【特許請求の範囲】
【請求項１】
荷積みプラットフォーム基部両端が支持軸で回動可能に軸着された一対の昇降フレームを車体固定側の一対の支柱に上下方向に案内することにより、荷積みプラットフォームを水平姿勢に保持した状態で地面と荷台床面高さとの間で垂直に昇降させる車両用荷役装置において、上記荷積みプラットフォームを不使用時には垂直姿勢に格納すべく水平姿勢から閉作動させるとともにこの閉作動により荷積みプラットフォーム基端近傍に設けられた助勢手段に助勢力を蓄える一方、上記荷積みプラットフォームを使用時には水平姿勢に保持すべく格納状態の垂直姿勢から開作動させるとともに上記助勢手段の助勢力により荷積みプラットフォームの開作動を助勢するように構成された荷積みプラットフォーム開閉装置であって、
先端近傍に被掛止部が設けられるとともに中程が上記支持軸に回動可能に連結されたリンク部材と、
一端が上記荷積みプラットフォームの側部に、他端が上記リンク部材の基端にそれぞれ連結軸で回動可能に軸着された流体圧シリンダと、
上記昇降フレームの支持軸近傍に設けられたストッパ部材と、
先端に掛止部が設けられるとともに中程が上記昇降フレームの支持軸近傍に回動軸で回動可能に軸着されたロック部材とを備え、
上記荷積みプラットフォームが上記流体圧シリンダの収縮作動により不使用時の垂直姿勢から傾斜姿勢に開作動して上記リンク部材の先端がストッパ部材に当接する力が発生するまでの間、上記リンク部材の先端を上記ストッパ部材に当接させた状態で上記ロック部材の掛止部をリンク部材の被掛止部に掛止させて該リンク部材の動きを規制するようにしていることを特徴とする車両用荷役装置の荷積みプラットフォーム開閉装置。
【請求項２】
請求項１に記載の車両用荷役装置の荷積みプラットフォーム開閉装置において、
荷積みプラットフォームが水平姿勢に保持された時点で、リンク部材を助勢手段の助勢力により支持軸回りに回動させてその先端をストッパ部材から離間させ、該離間動作により流体圧シリンダを収縮作動させて上記リンク部材及び流体圧シリンダを荷積みプラットフォーム裏面から突出しないように荷積みプラットフォーム内に納めるように構成されていることを特徴とする車両用荷役装置の荷積みプラットフォーム開閉装置。
【請求項３】
請求項２に記載の車両用荷役装置の荷積みプラットフォーム開閉装置において、
流体圧シリンダをリンク部材に軸着する連結軸には、荷積みプラットフォームが水平姿勢で下降して地面に接近した際、地面と当接して上記リンク部材及び流体圧シリンダを荷積みプラットフォーム裏面から突出しないように荷積みプラットフォーム内に強制的に納める強制収納手段が設けられていることを特徴とする車両用荷役装置の荷積みプラットフォーム開閉装置。
【請求項４】
請求項１乃至３のいずれか１項に記載の車両用荷役装置の荷積みプラットフォーム開閉装置において、
荷積みプラットフォーム基部近傍に設けられた規制部材を備え、
該規制部材でロック部材を押圧してその掛止部をリンク部材の被掛止部に掛止させるようにしていることを特徴とする車両用荷役装置の荷積みプラットフォーム開閉装置。
【請求項５】
請求項４に記載の車両用荷役装置の荷積みプラットフォーム開閉装置において、
ロック部材は荷積みプラットフォームの開作動に連動して規制部材の押圧力から解放され、自重により掛止部がリンク部材の被掛止部から離間するようになっていることを特徴とする車両用荷役装置の荷積みプラットフォーム開閉装置。
【請求項６】
請求項４に記載の車両用荷役装置の荷積みプラットフォーム開閉装置において、
規制部材は、荷積みプラットフォームが少なくとも垂直姿勢及び水平姿勢にあるときにはロック部材を押圧しており、荷積みプラットフォームの開作動に連動して上記ロック部材を掛止部がリンク部材の被掛止部から離間するように回動軸回りに強制的に回動させるようになっていることを特徴とする車両用荷役装置の荷積みプラットフォーム開閉装置。
【発明の詳細な説明】
【技術分野】
【０００１】
この発明は、荷物を載せて昇降する荷積みプラットフォームを備えた車両用荷役装置において、上記荷積みプラットフォームを不使用時には閉作動させて垂直姿勢に保持する一方、使用時には開作動させて水平姿勢に保持する荷積みプラットフォーム開閉装置の改良に関するものである。
【背景技術】
【０００２】
本出願人は、車両用荷役装置の荷積みプラットフォーム開閉装置として、荷積みプラットフォーム基部両端を一対の昇降フレームに軸着する支持軸にリンク部材を回動可能に連結するとともに、流体圧シリンダの一端を荷積みプラットフォームの側部に、他端をリンク部材の基端にそれぞれ軸着し、かつ上記昇降フレームの支持軸近傍にストッパ部材を設け、上記荷積みプラットフォームを不使用時には垂直姿勢に格納すべく水平姿勢から閉作動させるとともにこの閉作動により荷積みプラットフォーム基端近傍に内装されたトーションバーに捻り力を蓄える一方、上記荷積みプラットフォームを使用時には水平姿勢に保持すべく格納状態の垂直姿勢から開作動させるとともに上記トーションバーの捻り力により荷積みプラットフォームの開作動を助勢するように構成された荷積みプラットフォーム開閉装置を開発して既に特許出願している（例えば、特許文献１参照）。
【特許文献１】特開２００５−２８９０９９号公報（第５，６頁、図５，６）
【発明の開示】
【発明が解決しようとする課題】
【０００３】
ところで、荷積みプラットフォームが不使用時の垂直姿勢にあるときには、リンク部材と荷積みプラットフォームとは閉作動により蓄えられたトーションバーの捻り力により互いに逆向きに付勢されている。この際、上記リンク部材及び荷積みプラットフォームの動きを規制しているのは、流体圧でロックされた流体圧シリンダである。そして、荷積みプラットフォームを使用時の水平姿勢に開作動させるために上記流体圧シリンダの流体圧ロックを解除すると、荷積みプラットフォームに比べて操作力が軽いリンク部材が一足早く回動し、荷積みプラットフォームが傾動するよりも一足早くリンク部材がストッパ部材から離間してしまう。そして、この状態から荷積みプラットフォームがトーションバーの捻り力で開作動すると、上記リンク部材がストッパ部材に当接するまでの間、荷積みプラットフォームが勢いよく倒れ込むため、危険な事態が生ずることが懸念される。
【０００４】
この発明はかかる点に鑑みてなされたものであり、その目的とするところは、荷積みプラットフォームの開作動初期段階において荷積みプラットフォームが勢いよく倒れ込まないようにすることである。
【課題を解決するための手段】
【０００５】
上記の目的を達成するため、この発明は、荷積みプラットフォームの開作動初期段階でリンク部材がストッパ部材から離間しないようにしたことを特徴とする。
【０００６】
具体的には、この発明は、荷積みプラットフォーム基部両端が支持軸で回動可能に軸着された一対の昇降フレームを車体固定側の一対の支柱に上下方向に案内することにより、荷積みプラットフォームを水平姿勢に保持した状態で地面と荷台床面高さとの間で垂直に昇降させる車両用荷役装置において、上記荷積みプラットフォームを不使用時には垂直姿勢に格納すべく水平姿勢から閉作動させるとともにこの閉作動により荷積みプラットフォーム基端近傍に設けられた助勢手段に助勢力を蓄える一方、上記荷積みプラットフォームを使用時には水平姿勢に保持すべく格納状態の垂直姿勢から開作動させるとともに上記助勢手段の助勢力により荷積みプラットフォームの開作動を助勢するように構成された荷積みプラットフォーム開閉装置を対象とし、次のような解決手段を講じた。
【０００７】
すなわち、請求項１に記載の発明は、先端近傍に被掛止部が設けられるとともに中程が上記支持軸に回動可能に連結されたリンク部材と、一端が上記荷積みプラットフォームの側部に、他端が上記リンク部材の基端にそれぞれ連結軸で回動可能に軸着された流体圧シリンダと、上記昇降フレームの支持軸近傍に設けられたストッパ部材と、先端に掛止部が設けられるとともに中程が上記昇降フレームの支持軸近傍に回動軸で回動可能に軸着されたロック部材とを備え、上記荷積みプラットフォームが上記流体圧シリンダの収縮作動により不使用時の垂直姿勢から傾斜姿勢に開作動して上記リンク部材の先端がストッパ部材に当接する力が発生するまでの間、上記リンク部材の先端を上記ストッパ部材に当接させた状態で上記ロック部材の掛止部をリンク部材の被掛止部に掛止させて該リンク部材の動きを規制するようにしていることを特徴とする。
【０００８】
請求項２に記載の発明は、請求項１に記載の発明において、荷積みプラットフォームが水平姿勢に保持された時点で、リンク部材を助勢手段の助勢力により支持軸回りに回動させてその先端をストッパ部材から離間させ、該離間動作により流体圧シリンダを収縮作動させて上記リンク部材及び流体圧シリンダを荷積みプラットフォーム裏面から突出しないように荷積みプラットフォーム内に納めるように構成されていることを特徴とする。
【０００９】
請求項３に記載の発明は、請求項２に記載の発明において、流体圧シリンダをリンク部材に軸着する連結軸には、荷積みプラットフォームが水平姿勢で下降して地面に接近した際、地面と当接して上記リンク部材及び流体圧シリンダを荷積みプラットフォーム裏面から突出しないように荷積みプラットフォーム内に強制的に納める強制収納手段が設けられていることを特徴とする。
【００１０】
請求項４に記載の発明は、請求項１乃至３のいずれか１項に記載の発明において、荷積みプラットフォーム基部近傍に設けられた規制部材を備え、該規制部材でロック部材を押圧してその掛止部をリンク部材の被掛止部に掛止させるようにしていることを特徴とする。
【００１１】
請求項５に記載の発明は、請求項４に記載の発明において、ロック部材は荷積みプラットフォームの開作動に連動して規制部材の押圧力から解放され、自重により掛止部がリンク部材の被掛止部から離間するようになっていることを特徴とする。
【００１２】
請求項６に記載の発明は、請求項４に記載の発明において、規制部材は、荷積みプラットフォームが少なくとも垂直姿勢及び水平姿勢にあるときにはロック部材を押圧しており、荷積みプラットフォームの開作動に連動して上記ロック部材を掛止部がリンク部材の被掛止部から離間するように回動軸回りに強制的に回動させるようになっていることを特徴とする。
【発明の効果】
【００１３】
請求項１に係る発明によれば、荷積みプラットフォームが不使用時の垂直姿勢にあるとき、リンク部材はロック部材により動きが規制されているので、荷積みプラットフォームを使用時の水平姿勢に開作動させるために流体圧シリンダの流体圧ロックを解除しても、荷積みプラットフォームの流体圧シリンダの収縮作動による開作動初期段階でリンク部材はストッパ部材から離間せず、この状態で荷積みプラットフォームが傾斜姿勢になってリンク部材の先端がストッパ部材に当接する力が発生する。したがって、この間に、リンク部材がストッパ部材から離間していることに起因する荷積みプラットフォームの急激な倒れ込みによる危険な事態を回避することができる。そして、その後、荷積みプラットフォームが開作動しても、リンク部材の先端はストッパ部材に当接していて離間しないため、荷積みプラットフォームは助勢手段の助勢力により開作動が助勢されながら水平姿勢になる。
【００１４】
請求項２に係る発明によれば、荷積みプラットフォームが水平姿勢に保持された時点で、リンク部材が助勢手段の助勢力により回動してリンク部材及び流体圧シリンダが荷積みプラットフォーム裏面から突出しないように荷積みプラットフォーム内に納まるので、突出しない分だけ荷積みプラットフォームを薄くすることができる。また、荷積みプラットフォームを水平姿勢のままで接地させることができるので、接地時にチルトさせる必要がない。
【００１５】
請求項３に係る発明によれば、荷積みプラットフォームが水平姿勢に保持された時点で、リンク部材が何らかの事情で回動しなかったり回動不十分で、リンク部材及び流体圧シリンダが荷積みプラットフォーム裏面から突出していても、強制収納手段が地面に当接することで、上記リンク部材及び流体圧シリンダを荷積みプラットフォーム内に確実に納めることができる。
【００１６】
請求項４に係る発明によれば、荷積みプラットフォーム基部近傍に規制部材を設ける簡素な構造で、ロック部材によるリンク部材の動き規制を確実に行うことができる。
【００１７】
請求項５に係る発明によれば、ロック部材によるリンク部材の動き規制を荷積みプラットフォームの開作動により解除できるため、ロック部材を作動させる専用の作動手段がいらず、製作費を廉価にすることができる。
【００１８】
請求項６に係る発明によれば、ロック部材が錆付いていたり、あるいは車両が傾斜地に停止していても、ロック部材の掛止部をリンク部材の被掛止部から確実に離間させることができる。
【発明を実施するための最良の形態】
【００１９】
以下、この発明の実施の形態について図面に基づいて説明する。
【００２０】
図８は車両としてのバン車Ａを示し、このバン車Ａの車幅方向両側で車体前後方向に延びるシャーシフレーム（図示せず）には、後端に観音開きの２枚の扉ｂ１を備えた箱形の荷台Ｂが搭載されている。この荷台Ｂ後端には、荷積みプラットフォーム１を備えた荷役装置Ｃが装備されている。この荷役装置Ｃは、車体固定側である荷台Ｂ後端の車幅方向両端に立設された一対の支柱３を備え、これら支柱３には一対の昇降フレーム５が図示しない昇降装置の作動により上下方向に案内されるようになっている。上記各昇降フレーム５下端にはブラケット７が接続部材９を介して一体に接続され、上記ブラケット７は横断面コの字形をしていて（図５参照）、図１〜７に示すように、支持軸１１がブラケット７下端に車幅方向へ延びるように固着され、この両支持軸１１で上記荷積みプラットフォーム１基部両端が一対の昇降フレーム５に回動可能に軸着されている。また、上記各昇降フレーム５下部（本例では下端）には、ボルトからなる当て部材１３が垂設されている。そして、昇降装置の作動により上記一対の昇降フレーム５を一対の支柱３に上下方向に案内することにより、上記荷積みプラットフォーム１基端部（後述するバー材１ａ基部）を昇降フレーム５下端の当て部材１３に下方から当接させて荷積みプラットフォーム１を水平姿勢に保持し、この状態で荷積みプラットフォーム１を地面Ｄと荷台床面高さとの間で垂直に昇降させるようになっている。図１、図３、図４、図６及び図７に荷台床面を符号ｂ２を付して示す。
【００２１】
上記荷積みプラットフォーム１の両側部には、この発明の一実施形態に係る荷積みプラットフォーム開閉装置１５が設置されている。なお、この荷積みプラットフォーム開閉装置１５は車種によっては荷積みプラットフォーム１の一方の側部にだけ設置してもよい。この荷積みプラットフォーム開閉装置１５は、図１〜７に示すように、上記荷積みプラットフォーム１の側面に設けられたバー材１ａ内側に取付部材１７を介して取り付けられている。具体的には、荷積みプラットフォーム開閉装置１５は、荷積みプラットフォーム１基端側にシリンダチューブ１９ａを向けるとともに荷積みプラットフォーム１先端側にピストンロッド１９ｂを向けた流体圧シリンダ１９と、先端近傍にピン状の被掛止部２１が水平に突設されるとともに中程が上記支持軸１１に回動可能に連結された略Ｊ字形のリンク部材２３とを備え、上記流体圧シリンダ１９のピストンロッド１９ｂ先端の連結部１９ｃが上記取付部材１７に連結軸２５で回動可能に軸着されている。なお、図１、図３、図４、図６及び図７では取付部材１７を省略している。上記リンク部材２３下端には二股に分岐した分岐部２３ａが形成され、この両分岐部２３ａ間に上記流体圧シリンダ１９のシリンダチューブ１９ａ基端の連結部１９ｄが挿入されて該連結軸２９で分岐部２３ａに回動可能に軸着されている。また、上記シリンダチューブ１９ａ基端の連結部１９ｄと分岐部２３ａとの間には、強制収納手段としての円板状の強制収納プレート２７が連結軸２９に支持されて介在されている。
【００２２】
上記昇降フレーム５下端側（ブラケット７）の支持軸１１近傍（本例では上方）には、ブロック状のストッパ部材３１が固着されている。また、上記荷積みプラットフォーム１基端近傍には助勢手段としてのトーションバー３３が内装され、該トーションバー３３の一方の折曲端部が上記リンク部材２３に取付部材３５を介して固定されているとともに、他方の折曲端部が荷積みプラットフォーム１内に配置された図示しない固定プレートに固定され、このトーションバー３３は荷積みプラットフォーム１の水平姿勢から垂直姿勢への閉作動により捻られて捻り力（助勢力）を蓄える一方、荷積みプラットフォーム１の垂直姿勢から水平姿勢への開作動時に上記捻り力により荷積みプラットフォーム１の開作動を助勢するようになっている。なお、助勢手段として、トーションバー３３の代わりにコイルバネを用いてもよい。
【００２３】
上記ストッパ部材３１には、先端にフック状の掛止部３７ａを有するロック部材３７の中程が上記掛止部３７ａを荷積みプラットフォーム１基端側に向けて回動軸３９で回動可能に軸着され、該ロック部材３７は自重により回動軸３９を支点に掛止部３７ａを上方に向けた斜め姿勢をとるようになっている。
【００２４】
上記荷積みプラットフォーム１基部近傍における取付部材１７には、ピン状の規制部材４１が水平に突設され、荷積みプラットフォーム１を不使用時に垂直姿勢で格納した状態で、上記規制部材４１で上記ロック部材３７先端を上方から押圧してその掛止部３７ａを上記リンク部材２３の被掛止部２１に掛止させるようにしている（図１及び図２参照）。
【００２５】
上記規制部材４１は、荷積みプラットフォーム１の開作動初期段階で、つまり荷積みプラットフォーム１が流体圧シリンダ１９の収縮作動により不使用時の垂直姿勢から傾斜姿勢に開作動して上記リンク部材２３の先端がストッパ部材３１に当接する力が発生するまでの間（図１の状態から図３の状態に移行する間）、ロック部材３７を先端から基端側にかけて摺動しながら上方から押圧しており、これにより、リンク部材２３の先端をストッパ部材３１に当接させた状態でロック部材３７の掛止部３７ａをリンク部材２３の被掛止部２１に掛止させて該リンク部材２３の動きを規制するようにしている。このことをこの発明の最大の特徴としている。
【００２６】
そして、上記規制部材４１は、荷積みプラットフォーム１が図３のように傾斜姿勢に開作動して上記リンク部材２３の先端がストッパ部材３１に当接する力が発生すると、ロック部材３７から離間する。これにより、該ロック部材３７は荷積みプラットフォーム１の開作動に連動して規制部材４１の押圧力から解放され、自重により掛止部３７ａがリンク部材２３の被掛止部２１から離間するようになっている。
【００２７】
また、図４に示すように、荷積みプラットフォーム１がさらに開作動して水平姿勢に保持された時点では、トーションバー３３には閉作動時の捻り力が残存しており、上記リンク部材２３は上記トーションバー３３の捻り力により支持軸１１回りに回動し、図６及び図７に示すように、その先端がストッパ部材３１から離間する。そして、該離間動作により流体圧シリンダ１９が収縮作動し、上記リンク部材２３及び流体圧シリンダ１９が荷積みプラットフォーム１裏面から突出しないように荷積みプラットフォーム１内に納められるようになっている。この際、リンク部材２３が何らかの事情で回動しなかったり回動不十分で、リンク部材２３及び流体圧シリンダ１９が荷積みプラットフォーム１裏面から突出していても、その後、荷積みプラットフォーム１が水平姿勢で下降して地面Ｄに接近した際、上記強制収納プレート２７が地面Ｄと当接して上記リンク部材２３及び流体圧シリンダ１９を荷積みプラットフォーム１裏面から突出しないように荷積みプラットフォーム１内に強制的に納めるようになっている。したがって、上記の如き不慮な事態が発生していても、リンク部材２３及び流体圧シリンダ１９を荷積みプラットフォーム１内に確実に納めることができる。
【００２８】
このように構成された荷積みプラットフォーム開閉装置１５により、荷積みプラットフォーム１を不使用時には垂直姿勢に格納すべく水平姿勢から閉作動させる一方、使用時には水平姿勢に保持すべく格納状態の垂直姿勢から開作動させるようになっている。次に、その開閉作動を説明する。
【００２９】
まず、荷積みプラットフォーム１を不使用時の垂直姿勢から使用時の水平姿勢に開作動させるには、流体圧シリンダ１９の流体圧ロックを解除して流体圧シリンダ１９の作動室から流体圧を排出し、流体圧シリンダ１９を収縮作動させる。これにより、荷積みプラットフォーム１が支持軸１１回りに下方へ回動し、図１の垂直姿勢で格納された状態から図３の状態になる。この際、荷積みプラットフォーム１に比べて操作力が軽いリンク部材２３が一足早く回動しようとするが、この図３に移行する前段階では、規制部材４１が荷積みプラットフォーム１の開作動に伴ってロック部材３７の上辺を摺動しながら該ロック部材３７を上方から押さえ込んでいるので、掛止部３７ａがリンク部材２３の被掛止部２１に掛止したままでリンク部材２３の動きが規制されている。
【００３０】
因みに、上記ロック部材３７及び規制部材４１がないと、図１０〜１２に比較例として示すように、荷積みプラットフォーム１が傾動するよりも一足早くリンク部材２３がストッパ部材３１から離間してしまう（図１１の状態）が、本実施形態では、上述の如くリンク部材２３はロック部材３７により動きが規制されているので、荷積みプラットフォーム１の流体圧シリンダ１９の収縮作動による開作動初期段階でリンク部材２３はストッパ部材３１から離間せず、この状態で荷積みプラットフォーム１が傾斜姿勢になってリンク部材２３の先端がストッパ部材３１に当接する力が発生する。
【００３１】
したがって、この間に、リンク部材２３がストッパ部材３１から離間していることに起因する荷積みプラットフォーム１の急激な倒れ込みによる危険な事態（図１２の状態）を回避することができる。
【００３２】
また、荷積みプラットフォーム１基部近傍に規制部材４１を設ける簡素な構造で、ロック部材３７によるリンク部材２３の動き規制を確実に行うことができる。
【００３３】
さらに、ロック部材３７によるリンク部材２３の動き規制を荷積みプラットフォーム１の開作動により解除できるため、ロック部材３７を作動させる専用の作動手段がいらず、製作費を廉価にすることができる。
【００３４】
次いで、図３に示すように、荷積みプラットフォーム１の開作動が進むと、規制部材４１がロック部材３７の上辺をさらに基端側へと摺動してロック部材３７から離間する。ロック部材３７は自重により図３時計回りに回動して掛止部３７ａを上方に上げ、該掛止部３７ａが被掛止部２１から離脱するが、この段階では上述の如く既にリンク部材２３の先端がストッパ部材３１に当接する力が発生しているので、リンク部材２３の先端はストッパ部材３１に当接していて離間しない。
【００３５】
その後、図４に示すように、流体圧シリンダ１９の作動室から流体圧を排出させる状態を保持すると、荷積みプラットフォーム１は開作動が進み、荷積みプラットフォーム１の閉作動時に蓄えられたトーションバー３３の捻り力により流体圧シリンダ１９が収縮作動し、つまり荷積みプラットフォーム１は開作動が助勢されて水平姿勢になり、バー材１ａが当て部材１３に下方から当接して荷積みプラットフォーム１が水平姿勢に保持される。この段階ではリンク部材２３及び流体圧シリンダ１９は荷積みプラットフォーム１裏面から下方に突出しているが、上述の如くバー材１ａが当て部材１３に当接することで、トーションバー３３の捻り力がリンク部材２３をストッパ部材３１から離間させる方向に作用し、これによりリンク部材２３がトーションバー３３の捻り力により回動して流体圧シリンダ１９がさらに収縮作動し、図６に示すように、リンク部材２３及び流体圧シリンダ１９が荷積みプラットフォーム１裏面から突出しないよう荷積みプラットフォーム１内に納まるので、突出しない分だけ荷積みプラットフォーム１を薄くすることができる。
【００３６】
しかる後、昇降装置を下降作動させて荷積みプラットフォーム１を下降させ、荷積みプラットフォーム１下面全体を地面Ｄに水平姿勢で接地させる。したがって、荷積みプラットフォーム１を基部が接地した後にチルトさせる必要がない。
【００３７】
一方、荷積みプラットフォーム１を使用時の水平姿勢から不使用時の垂直姿勢に閉作動させるには、まず、荷台Ｂの扉ｂ１を閉じ、昇降装置を上昇作動させる。これにより、地面Ｄに接地している荷積みプラットフォーム１を図６に示すように、荷台床面高さに上昇させる。
【００３８】
その後、流体圧シリンダ１９の作動室に流体圧を供給して流体圧シリンダ１９を伸長作動させる。これにより、図４のようにリンク部材２３の下端が支持軸１１回りに下方へ回動し、その先端がストッパ部材３１に当接する。さらに、流体圧シリンダ１９を伸長作動させると、荷積みプラットフォーム１が支持軸１１回りに上方へ回動し、図３に示すような傾斜姿勢を経て図１に示すように垂直姿勢に保持されて格納される。この間にロック部材３７が規制部材４１で押圧され、掛止部３７ａがリンク部材２３の被掛止部２１に掛止し、リンク部材２３がストッパ部材３１から離間しないようにその動きが規制される。また、トーションバー３３が捻られて捻り力が蓄えられる。
【００３９】
図９は荷積みプラットフォーム開閉装置１５の変形例を示す。この変形例では、ロック部材３７の基端に延出部３７ｂを設け、荷積みプラットフォーム１が垂直姿勢にあるときだけでなく、水平姿勢になった状態でも上記延出部３７ｂを規制部材４１が押圧するようにしている。つまり、規制部材４１は荷積みプラットフォーム１が開閉作動する過程で、ロック部材３７の上辺を摺動してロック部材３７を常時押圧しており、荷積みプラットフォーム１の開作動に連動してロック部材３７を掛止部３７ａがリンク部材２３の被掛止部２１から離間するように回動軸３９回りに強制的に回動させ、荷積みプラットフォーム１が水平姿勢になった後も規制部材４１はロック部材３７の延出部３７ｂを押圧している。なお、図示しないが、規制部材４１は、荷積みプラットフォーム１が少なくとも垂直姿勢及び水平姿勢にあるときにロック部材３７を押圧しておればよく、垂直姿勢から水平姿勢に移行する過程でロック部材３７から離れていてもよい。
【００４０】
したがって、ロック部材３７が錆付いていたり、あるいはバン車Ａが傾斜地に停止していても、ロック部材３７の掛止部３７ａをリンク部材２３の被掛止部２１から確実に離間させることができる。
【産業上の利用可能性】
【００４１】
この発明は、荷物を載せて昇降する荷積みプラットフォームを備えた車両用荷役装置において、荷積みプラットフォームを不使用時には閉作動させて垂直姿勢に保持する一方、使用時には開作動させて水平姿勢に保持する荷積みプラットフォーム開閉装置として有用である。
【図面の簡単な説明】
【００４２】
【図１】荷台床面高さで垂直姿勢で格納された状態の荷積みプラットフォームの側面図である。
【図２】図１における荷積みプラットフォーム開閉装置の斜視図である。
【図３】荷台床面高さで垂直姿勢から傾斜姿勢に開作動した状態の荷積みプラットフォームの側面図である。
【図４】荷台床面高さで水平姿勢をとっている荷積みプラットフォームの側面図である。
【図５】図４における荷積みプラットフォーム開閉装置の斜視図である。
【図６】図４の状態からリンク部材及び流体圧シリンダが荷積みプラットフォーム内に納められた荷積みプラットフォームの側面図である。
【図７】図６において荷積みプラットフォームの基端側を拡大して示す側面図である。
【図８】荷積みプラットフォームを接地させた状態のバン車を後方から見た斜視図である。
【図９】変形例の図７相当図である。
【図１０】比較例の図１相当図である。
【図１１】図１０の状態から流体圧シリンダの収縮作動によりリンク部材の先端がストッパ部材から離間した状態を示す荷積みプラットフォームの側面図である。
【図１２】図１１の状態から荷積みプラットフォームが倒れ込んだ状態を示す荷積みプラットフォームの側面図である。
【符号の説明】
【００４３】
１          荷積みプラットフォーム
３          支柱
５          昇降フレーム
９          接続部材
１１        支持軸
１５        荷積みプラットフォーム開閉装置
１９        流体圧シリンダ
２１        被掛止部
２３        リンク部材
２５，２９  連結軸
２７        強制収納プレート（強制収納手段）
３１        ストッパ部材
３３        トーションバー（助勢手段）
３７        ロック部材
３７ａ      掛止部
３９        回動軸
４１        規制部材
Ｂ          荷台（車体固定側）
ｂ２        荷台床面
Ｃ          荷役装置
Ｄ          地面
【図１】
2007269157.tif 000003
【図２】
2007269157.tif 000004
【図３】
2007269157.tif 000005
【図４】
2007269157.tif 000006
【図５】
2007269157.tif 000007
【図６】
2007269157.tif 000008
【図７】
2007269157.tif 000009
【図８】
2007269157.tif 000010
【図９】
2007269157.tif 000011
【図１０】
2007269157.tif 000012
【図１１】
2007269157.tif 000013
【図１２】
2007269157.tif 000014